(57)【特許請求の範囲】
【請求項１】
軽量形鋼からなる床根太を備える鋼構造用床パネルにおいて、当該床根太の端部は、当該床根太とほぼ直角に配置された端根太の側部に、前記端根太のウェブの側部に接合ボルトによって取り付けられる固定部と当該固定部から前記床根太のウェブの側部に突設され、かつ当該床根太のウェブの側部に接合ボルトによって取り付けられる連結部とからなる接合金物によって接合されるものであり、前記床根太のウェブおよび下フランジの端部は、前記接合金物が取り付けられる端部において前記接合金物の連結部と干渉しない程度に、かつ前記接合ボルトの締付けに必要な作業スペースを確保できる程度に、上フランジの先端から接合金物の連結部の先端方向に斜めに形成することにより上フランジより短くなっていることを特徴とする鋼構造用床パネル。
【請求項２】
軽量形鋼からなる床根太を備えた床パネルと、前記床根太とほぼ直角に配置された軽量形鋼からなる端根太を備えた床パネルとの接合構造において、前記床根太の端部は前記端根太の側部に接合金物を介して接合され、前記接合金物は前記端根太のウェブの側部に取り付けられる固定部と当該固定部から前記床根太のウェブの側部に突設され、当該床根太のウェブの側部に取り付けられる連結部とから構成され、かつ前記床根太の下フランジは、前記接合金物が取り付けられる端部において前記接合金物の連結部と干渉しない程度に、上フランジより短くなっていることを特徴とする鋼構造用床パネルの接合構造。
【請求項３】
軽量形鋼からなる床根太を備えた床パネルと、前記床根太とほぼ直角に配置された軽量形鋼からなる端根太との接合構造において、前記床根太の端部は前記端根太の側部に接合金物を介して接合され、前記接合金物は前記端根太のウェブの側部に接合ボルトによって取り付けられる固定部と当該固定部から前記床根太のウェブの側部に突設され、当該床根太のウェブの側部に接合ボルトによって取り付けられる連結部とから構成され、かつ前記床根太のウェブおよび下フランジの端部は、前記接合金物が取り付けられる端部において前記接合金物の連結部と干渉しない程度に、かつ前記接合ボルトの締付けに必要な作業スペースを確保できる程度に、上フランジの先端から接合金物の連結部の先端方向に斜めに形成することにより上フランジより短くなっていることを特徴とする鋼構造用床パネルの接合構造。
【請求項４】
請求項２または３記載の鋼構造用床パネルの接合構造において、前記床根太の端部は上フランジの先端から接合金物の連結部の先端方向に斜めに形成されてなることを特徴とする鋼構造用床パネルの接合構造。
【請求項５】
請求項２〜４のいずれかひとつに記載の鋼構造用床パネルの接合構造において、軽量形鋼は軽量Ｈ形鋼または軽量溝形鋼であることを特徴とする鋼構造用床パネルの接合構造。
【請求項６】
軽量形鋼からなる床根太を備えた床パネルと軽量形鋼からなる端根太を備えた床パネルとから構成され、前記床根太の端部は前記端根太の側部に接合金物を介して接合され、前記接合金物は前記端根太のウェブの側部に取り付けられた固定部と当該固定部から前記床根太のウェブの側部に突設され、当該床根太のウェブの側部に取り付けられた連結部とから構成され、かつ前記床根太の下フランジは、前記接合金物が取り付けられる端部において前記接合金物の連結部と干渉しない程度に、上フランジより短くなっていることを特徴とする鋼構造の床組。
【請求項７】
ほぼ平行に敷設された軽量形鋼からなる端根太と、当該端根太間に敷設された、軽量形鋼からなる床根太を備えた複数の床パネルとから構成され、前記床根太の端部は前記端根太の側部に接合金物を介して接合され、前記接合金物は前記端根太のウェブの側部に接合ボルトによって取り付けられた固定部と当該固定部から前記床根太のウェブの側部に突設され、当該床根太のウェブの側部に接合ボルトによって取り付けられた連結部とから構成され、かつ前記床根太のウェブおよび下フランジの端部は、前記接合金物が取り付けられる端部において前記接合金物の連結部と干渉しない程度に、かつ前記接合ボルトの締付けに必要な作業スペースを確保できる程度に、上フランジの先端から接合金物の連結部の先端方向に斜めに形成することにより上フランジより短くなっていることを特徴とする鋼構造の床組。
【発明の詳細な説明】
【技術分野】
【０００１】
本発明は、薄板軽量形鋼造(スチールハウス)を含む鋼構造用床パネル、鋼構造用床パネルの接合構造および鋼構造の床組に関し、床パネルの敷設を容易に行うことができ、またロングスパン化による自由な間取りを行うことができ、さらに床パネルによって床の水平剛性を容易に確保することができる。
【背景技術】
【０００２】
薄板軽量形鋼造(スチールハウス)は、厚さ１ｍｍ前後の薄板軽量形鋼からなる枠材とその一側に取り付けられた面材とからなる耐力パネルによって壁や床が構成され、在来の木造枠組壁構造に比べて材料に乾燥収縮や反り、ねじれ等の「経年変化」がないため、年月を経ても建て付けが悪くなったり、床のきしみ音が発生する等の心配がなく、また軽量で施工性にすぐれている等のメリットがあることで知られている。
【０００３】
また、枠材に用いられる薄板軽量形鋼の断面性能が通常の軽量形鋼（軽量Ｈ形鋼等）に比べて小さいことから、２階以上の床梁や床根太には重量Ｈ形鋼を用いて、床梁や床根太のロングスパン化を図ることにより、自由な間取りの実現が図られている。この場合、水平剛性は別にブレースを設置することによって確保されている(特許文献1,2)。
【０００４】
ところで、建物のスケルトン（柱、梁、床などの建物の躯体）とインフィル（内装、設備等）とを分離した工法によるスケルトンインフィル住宅の実現にあたっては、木造枠組壁工法で一般的に採用されているような、床面材（床パネル）によって水平剛性を確保する構造とするのが好ましい。
【０００５】
例えば、特許文献３と特許文献４に、床面材を用いて床の水平剛性を確保する木構造の例が開示されているが、木構造においては、床パネルの一部として取り付けられている床根太をこれと直交する端根太に斜め釘打ち等の方法によって接合することができるため、床面材を用いて床の水平剛性を確保することに特に支障はない。
【先行技術文献】
【特許文献】
【０００６】
【特許文献１】特開2006-307483
【特許文献２】特開2003-147861
【特許文献３】特開平3-140541
【特許文献４】特開平3-140542
【発明の開示】
【発明が解決しようとする課題】
【０００７】
しかし、Ｈ形鋼からなる床梁や根太どうしは、通常、接合金物を介し、ボルト接合やドリルねじ接合などで接続されるため、床面材用いて水平剛性を確保する構造を薄板軽量形鋼造などの鋼構造に適用しようとすると、Ｈ形鋼（の一部）は予め床パネルに取り付けられているため、Ｈ形鋼どうしの接合は作業性が非常に悪いものであった。
【０００８】
例えば、床根太として床パネルに取り付けられたＨ形鋼の端部を、当該床根太と直交する端根太としてのＨ形鋼の側部に接合する場合、Ｔ型（他にＬ型や７の字型）の接合金物を使用するが、床根太と端根太のウェブどうしを接合するため、床パネルを敷設してから接合金物を取り付けると床パネルの下側から見上げる姿勢で接合作業を行う必要があり、しかも狭いスペースで行う必要があった。
【０００９】
一方、床根太または端根太の一方に接合金物を取り付けてから床パネルを敷設しようとすると、床パネルを吊り上げて単純に真上から下ろすのでは、床パネルのＨ形鋼と接合金物が干渉してしまうため、床パネルを本来の位置の横から本来の位置にまでずらして設置する必要があり、床パネルの敷設が面倒であった。
【００１０】
また、２階以上の床梁や床根太に重量Ｈ形鋼を用いて、床梁や床根太のロングスパン化を図る方法は、床梁や床根太として設置される重量Ｈ形鋼は部材ごとに架設する必要があるため、一般的なスチールハウスのパネル施工に比べて現場工数が多くなり、また、水平剛性を確保するためにブレースを別に設置すると、余計な現場作業を必要とし、コストが嵩む等の課題があった。
【００１１】
本発明は、以上の課題を解決するためになされたもので、床パネルの敷設を容易に行うことができ、またロングスパン化による自由な間取りを行うことができ、さらに床面材によって床の水平剛性を容易に確保することができる鋼構造用床パネル、鋼構造用床パネルの接合構造および鋼構造の床組を提供することを目的とする。
【課題を解決するための手段】
【００１２】
請求項１記載の鋼構造用床パネルは、軽量形鋼からなる床根太を備える鋼構造用床パネルにおいて、当該床根太の端部は、当該床根太とほぼ直角に配置された端根太の側部に、前記端根太のウェブの側部に接合ボルトによって取り付けられる固定部と当該固定部から前記床根太のウェブの側部に突設され、かつ当該床根太のウェブの側部に接合ボルトによって取り付けられる連結部とからなる接合金物によって接合されるものであり、前記床根太のウェブおよび下フランジの端部は、前記接合金物が取り付けられる端部において前記接合金物の連結部と干渉しない程度に、かつ前記接合ボルトの締付けに必要な作業スペースを確保できる程度に、上フランジの先端から接合金物の連結部の先端方向に斜めに形成することにより上フランジより短くなっていることを特徴とするものである。
【００１３】
本発明は、先に敷設した床パネルの隣に後から敷設する床パネルを真上から敷設できるようにしたものであり、本発明によれば、後から敷設される床パネルの床根太の下フランジが上フランジよりも短くなっていることで、先に敷設した床パネルの端根太または床パネルよりも先に配置された端根太の側部に接合金物を先付けし、その隣に後から敷設する床パネルを真上から吊る等して敷設しても、接合金物の連結部が後から敷設する床根太と干渉しないので、先に敷設した床パネルの隣に後から敷設する床パネルを容易に敷設することができる。
【００１４】
この場合、床根太としてのＨ形鋼の下フランジを短くする手段として、Ｈ形鋼を所定の長さに切断してから、下フランジ（近傍）をさらに切断すればよい。あるいは、Ｈ形鋼を所定の長さに切断する際に、上フランジから下フランジに向けて斜め（概ね６０°程度の角度）に切断すれば、一回の切断で下フランジを短くすることができて望ましい。
【００１５】
請求項２記載の鋼構造用床パネルの接合構造は、軽量形鋼からなる床根太を備えた床パネルと軽量形鋼からなる端根太を備えた床パネルとの接合構造において、前記床根太の端部は前記端根太の側部に接合金物を介して接合され、前記接合金物は前記端根太のウェブの側部に取り付けられる固定部と当該固定部から前記床根太のウェブの側部に突設され、当該床根太のウェブの側部に取り付けられる連結部とから構成され、かつ前記床根太の下フランジは、前記接合金物が取り付けられる端部において前記連結部と干渉しない程度に、上フランジより短くなっていることを特徴とするものである。
【００１６】
本発明は、先に敷設した床パネルの隣に後から敷設する床パネルを真上から敷設できるようにすることで、床パネルの敷設を容易にかつ効率的に行うことができ、かつ床面材によって床の水平剛性を容易に確保できるようにしたものである。
【００１７】
本発明によれば、後から敷設される床パネルの床根太の下フランジが上フランジより短くなっていることで、先に敷設した床パネルの端根太の側部に接合金物を先付けし、その隣に後から敷設する床パネルを真上から敷設しても、接合金物の連結部が後から敷設する床根太と干渉しないので、床パネルの敷設をきわめて容易にかつ効率的に行うことができる。また、こうして床パネルの敷設を容易に行うことが可能なことにより、床パネルを利用して床の水平剛性を容易に確保することができる。また、別にブレース等を設置する必要がない。
【００１８】
請求項３記載の鋼構造用床パネルの接合構造は、軽量形鋼からなる床根太を備えた床パネルと、前記床根太とほぼ直角に配置された軽量形鋼からなる端根太との接合構造において、前記床根太の端部は前記端根太の側部に接合金物を介して接合され、前記接合金物は前記端根太のウェブの側部に接合ボルトによって取り付けられる固定部と当該固定部から前記床根太のウェブの側部に突設され、当該床根太のウェブの側部に接合ボルトによって取り付けられる連結部とから構成され、かつ前記床根太のウェブおよび下フランジの端部は、前記接合金物が取り付けられる端部において前記接合金物の連結部と干渉しない程度に、かつ前記接合ボルトの締付けに必要な作業スペースを確保できる程度に、上フランジの先端から接合金物の連結部の先端方向に斜めに形成することにより上フランジより短くなっていることを特徴とするものである。
【００１９】
本発明は、先に敷設した端根太間に後から敷設する床パネルを真上から落とし込んで敷設できるようにすることで、床パネルの敷設を容易にかつ効率的に行うことができ、かつ床面材によって床の水平剛性を容易に確保できるようにしたものである。
【００２０】
本発明によれば、後から敷設される床パネルの床根太の下フランジが上フランジより短くなっていることで、先に平行に敷設した各端根太の側部に接合金物をそれぞれ先付けし、その間に後から敷設する床パネルを真上から落とし込んで敷設しても、接合金物の連結部が後から敷設する床根太と干渉しないので、床パネルの敷設をきわめて容易にかつ効率的に行うことができる。また、こうして床パネルの敷設を容易に行うことが可能なことにより、床パネルを利用して床の水平剛性を容易に確保することができる。また、別にブレース等を設置する必要がない。
【００２１】
請求項４記載の鋼構造用床パネルの接合構造は、請求項２または３記載の鋼構造用床パネルの接合構造において、前記床根太の端部は上フランジの先端から接合金物の連結部の先端方向に斜めに形成されてなることを特徴とするものである。
【００２２】
本発明は、床根太の下フランジの端部に必要な切欠き部を容易に設けられるようにしたもので、床根太の端部を上フランジの先端から接合金物の連結部の先端方向に斜めに切断することにより、床根太を所定の長さに切断するとともに床根太の下フランジを必要な長さだけ短くする。この場合、概ね６０°程度の角度で床根太の端部を斜めに切断するのが、接合ボルトの締付けに必要な作業スペースも確保することができて好ましい。
【００２３】
請求項５記載の鋼構造用床パネルの接合構造は、請求項２〜４のいずれかひとつに記載の鋼構造用床パネルの接合構造において、軽量形鋼は軽量Ｈ形鋼または軽量溝形鋼であることを特徴とするものである。
【００２４】
軽量Ｈ形鋼や軽量溝形鋼は最も一般に利用されており、容易に入手することができる。また、軽量Ｈ形鋼や軽量溝形鋼は、薄鋼板軽量形鋼より断面性能が大きいので、床根太のロングスパン化により自由な間取りの実現を図ることができる。
【００２５】
請求項６記載の鋼構造の床組は、軽量形鋼からなる床根太を備えた床パネルと軽量形鋼からなる端根太を備えた床パネルとから構成され、前記床根太の端部は前記端根太の側部に接合金物を介して接合され、前記接合金物は前記端根太のウェブの側部に取り付けられた固定部と当該固定部から前記床根太のウェブの側部に突設され、当該床根太のウェブの側部に取り付けられた連結部とから構成され、かつ前記床根太の下フランジは、前記接合金物が取り付けられる端部において前記連結部と干渉しない程度に、上フランジより短くなっていることを特徴とするものである。
【００２６】
本発明は、先に敷設した床パネルの隣りに後から敷設される床パネルを真上から敷設できるようにして、床パネルの敷設を容易にかつ効率的に行えるようにし、またこれにより床面材を利用して床の水平剛性を容易に確保できるようにしたものである。
【００２７】
本発明によれば、後から敷設される床パネルの床根太の下フランジが上フランジより短くなっていることで、先に敷設された床パネルの端根太の側部に接合金物を先付けし、その隣に後から敷設される床パネルを真上から敷設しても、接合金物の連結部が後から敷設される床パネルの床根太と干渉しないので、先に敷設した床パネルの隣に後から敷設する床パネルを真上から容易に敷設することができる。
【００２８】
また、こうして床パネルの敷設を行うことが可能なことにより、床面材を利用して床の水平剛性を容易に確保することができ、別にブレースを設置する必要がない。
【００２９】
請求項７記載の鋼構造の床組は、ほぼ平行に敷設された軽量形鋼からなる端根太と、当該端根太間に敷設された、軽量形鋼からなる床根太を備えた複数の床パネルとから構成され、前記床根太の端部は前記端根太の側部に接合金物を介して接合され、前記接合金物は前記端根太のウェブの側部に接合ボルトによって取り付けられた固定部と当該固定部から前記床根太のウェブの側部に突設され、当該床根太のウェブの側部に接合ボルトによって取り付けられた連結部とから構成され、かつ前記床根太のウェブおよび下フランジの端部は、前記接合金物が取り付けられる端部において前記接合金物の連結部と干渉しない程度に、かつ前記接合ボルトの締付けに必要な作業スペースを確保できる程度に、上フランジの先端から接合金物の連結部の先端方向に斜めに形成することにより上フランジより短くなっていることを特徴とするものである。
【００３０】
本発明は、先に敷設した端根太間に後から敷設される床パネルを真上から落とし込んで敷設できるようにして、床パネルの敷設を容易にかつ効率的に行えるようにし、またこれにより床面材を利用して床の水平剛性を容易に確保できるようにしたものである。
【発明の効果】
【００３１】
本発明は、後から敷設される床パネルの床根太の下フランジが上フランジより短くなっており、先に敷設した床パネルの端根太または床パネルよりも先に配置された端根太に接合金物を先付けし、その隣に後から敷設する床パネルを真上から敷設しても、接合金物の連結部が後から敷設する床パネルの床根太と干渉することがないので、床パネルの敷設をきわめて容易にかつ効率的に行うことができる。
【００３２】
また、こうして床パネルの敷設を容易に行うことが可能なことにより、床面材を利用して床の水平剛性を容易に確保することができ、別に、ブレース等を設置する必要がない。
【００３３】
さらに、2階以上の床根太や端根太に薄板軽量形鋼より断面性能の大きな軽量形鋼が用いられていることにより、根太のロングスパン化により自由な間取りの実現を図ることができる。
【図面の簡単な説明】
【００３４】
【図１】軽量Ｈ形鋼からなる端根太を備えた床パネルと軽量Ｈ形鋼からなる床根太を備えた床パネルとの接合部を示し、（ａ）はその一部平面図、（ｂ）は（ａ）におけるイ−イ線断面図である。
【図２】軽量Ｈ形鋼からなる端根太を備えた床パネルと軽量Ｈ形鋼からなる床根太を備えた床パネルとの接合部を示し、（ａ）はその一部平面図、（ｂ）は（ａ）におけるイ−イ線断面図である。
【図３】鋼構造の床組を示す床パネルの配置形態を示す分解平面図である。
【図４】図３に図示する鋼構造の床組の分解斜視図である。
【図５】鋼構造の床組を示す床パネルの配置形態を示す分解平面図である。
【図６】図５に図示する鋼構造の床組の分解斜視図である。
【図７】積層された床パネルを示す断面図である。
【発明を実施するための形態】
【００３５】
図１(ａ)，(ｂ)は、鋼構造の床組において互いに隣接して敷設された床パネル間の接合部の例を示す。図において、符号１と符号２は、複数の床根太３、または複数の床根太３と端根太４とからなる枠材の上に面材５を取り付けることにより構成された床パネルであり、特に床根太３と端根太４には軽量Ｈ形鋼が用いられ、面材５には構造用合板が用いられている。
【００３６】
各床パネル１，２の床根太３と端根太４は構造用合板の寸法を基準に割付けされ、床根太３は等間隔に配置され、端根太４は床根太３の両端部または一方の端部に床根太３とほぼ直角に配置され、互いにドリルねじ接合などによって接合されている。また、面材５は床根太３、または床根太３と端根太４の上にドリルねじ接合などによって取り付けられている。
【００３７】
このように構成された床パネル１と床パネル２は互いに隣接して敷設され、また床パネル２の各床根太３の端部は床パネル１の端根太４の側部に突き付けられ、かつ双方の面材５の一端５ａどうしは床パネル１の端根太４の上の中心軸上で互いに突き合せられている。そして、端根太４のウェブ４ａの側部に床根太３のウェブ３ａの端部が接合金物６を介し、複数の接合ボルト７によって接合されている。
【００３８】
接合金物６は、端根太４のウェブ４ａの側部に複数の接合ボルト７によって取り付けられる固定部６ａと固定部６ａから床根太３のウェブ３ａの側部に突設され、ウェブ３ａの側部に複数の連結ボルト７によって取り付けられる連結部６ｂとから平面に見てほぼＴ字状、Ｌ字状または７の字状に形成されている。
【００３９】
また、床根太３の端部は上フランジ３ｂの先端から下フランジ３ｃにかけて接合金物６の連結部６ｂの先端方向に斜めに形成されている。これにより床根太３の下フランジ３ｃの先端部は、上フランジ３ｂと比較して、連結部６ｂよりも短くなっている。
【００４０】
なお、このような先端部の形状は、床根太３としてのＨ形鋼を所定の長さに切断する際に、フランジに対して斜めに切断することにより容易に形成することができる。切断する角度は、連結部６ｂの長さや床根太３（Ｈ形鋼）のウェブ３ｂにもよるが、ほぼ６０°程度とすればよい。
【００４１】
このような構成において、床パネル２の床根太３の下フランジ３ｂが短くなっているので、床パネル１を先に敷設し、床パネル１の端根太４のウェブ４ａの側部に接合金物６を先付けし、そして、その後から床パネル１の横に床パネル２を真上から降ろして敷設しても、床根太３の先端部が接合金物６の連結部６ｂと干渉することがないので、床パネルをきわめて効率的にかつ容易に敷設することができる。
【００４２】
また、こうして床パネルを敷設することが可能なことにより、床面材を利用して床の水平剛性を容易に確保することができる。
【００４３】
なお、図２（ａ），（ｂ）は、床根太と床パネルの接合部の別の例を示し、床根太３のウェブ３ａおよび下フランジ３ｃの先端をほぼ必要最小限に切断して、下フランジ３ｃを短くしたものである。
【００４４】
この場合、床根太３としてのＨ形鋼を所定長さに一旦切断してから、ウェブ３ａ先端の下フランジ３ｃ寄りの個所から下フランジ３ｃにかけて斜めに（図２（ｂ）では、ほぼ15°の角度で）切断されている。
【００４５】
図３と図４は、鋼構造の床組の例を示す。図において、複数の床パネル１と床パネル２は互いに隣接して敷設され、隣接する各床パネル１と２、各床パネル１どうしおよび各床パネル２どうしは互いに接合されている。
【００４６】
特に、床パネル１と床パネル２は、図１（ａ），（ｂ）に図示するように接合金物６を介し、複数の接合ボルト７によって接合されている。
【００４７】
床パネル１は、等間隔で配置された複数の床根太３とその長手方向の両端部に床根太３とほぼ直角に配置された端根太４とからなる枠材の上に面材５を取り付けることにより構成されている。
【００４８】
また、床パネル２は、等間隔で配置された複数の床根太３とその長手方向の一方の端部に床根太３とほぼ直角に配置された端根太４とからなる枠材の上に面材５を取り付けることにより構成されている。
【００４９】
また、各床根太３の下フランジ３ｃは、接合金物６が取り付けられる先端部において接合金物６の連結部６ｂと干渉しない程度に、上フランジ３ｂより短くなっている。
【００５０】
さらに、各床パネル１と各床パネル２との接合部Ｂにおいては、床パネル２の各床根太３の端部が床パネル１の端根太４の側部に突き付けられ、かつ各床根太３のウェブ３ａの先端がウェブ４ａの側部に接合金物６を介し、複数の接合ボルト７によって接合されている。
【００５１】
また、各床パネル１どうしの接合部Ｃと各床パネル２どうしの接合部Ｄにおいては、それぞれ、双方の端根太４の端部が互いに突き合わせられ、かつ双方のウェブ４ａの先端どうしが接合プレート(図省略)を介し、接合ボルト(図省略)によって接合されている。
【００５２】
なお、この場合、後から敷設される床パネルの端根太４の下フランジが、接合側の端部において必要なだけ上フランジより短くなっていれば、先に敷設された床パネルの端根太４の端部に接合プレートを先付けし、その隣りに後から敷設される床パネルを真上から敷設しても、接合プレートと後から敷設される床パネルの端根太４が干渉しないので、床パネルの敷設を容易に行うことができる。
【００５３】
この場合の端根太４の下フランジも、床根太３の下フランジ３ｃと同様に斜めに切断することにより上フランジより短くすることができる。
【００５４】
さらに、後から敷設される床パネル１の面材５の一端５ａは、先に敷設された床パネル１の床根太３の上の中心軸上で先に敷設された床パネル１の面材５の一端５ａと突き合わせられ、かつ床根太３の上にドリルねじ接合によって取り付けられている。  
【００５５】
同様にして、後から敷設される床パネル２の面材５の一端５ａは、先に敷設された床パネル２の面材５の一端５ａと面一に突き合わせられ、かつ先に敷設された床パネル２の床根太３の上にドリルねじ接合などによって取り付けられている。
【００５６】
以上のような構成において、床パネル２の床根太３の下フランジ３ｃは、接合金物６が取り付けられる先端部において接合金物６の連結部６ｂと干渉しない程度に、上フランジ３ｂより短くなっていることにより、床パネル１を先に敷設し、床パネル１の端根太４のウェブ４ａの側部に連結金具６を先付けしておき、その後から床パネル１の横に床パネル２を真上から吊って敷設しても床根太３の先端部が接合金物６と干渉しないので、床パネル１，２をきわめて効率的にかつ容易に敷設することができる。
【００５７】
また、こうして床パネルを敷設することが可能なことにより、床パネルを利用して床の水平剛性を容易に確保することができる。
【００５８】
図５と図６は、鋼構造の床組の他の例を示す。図において、複数の床パネル１と床パネル２は、それぞれ、端根太４，４間に端根太４の長手方向に互いに隣接して敷設され、また床パネル１と床パネル２は端根太４を挟んでその両側に互いに隣接して配置されている。
【００５９】
端根太４，４は、床パネル１，２の設置に先立って構造物の躯体の一部として平行に敷設されている。端根太４としては、軽量Ｈ形鋼または軽量溝形鋼が用いられている。
【００６０】
そして、各床パネル１と２は端根太４，４にそれぞれ接合され、かつ隣接する各床パネル１どうしおよび各床パネル２どうしは互いに接合されている。
【００６１】
床パネル１と床パネル２は、いずれも等間隔で配置された複数の床根太３の上に面材５を取り付けることにより構成されている。また、各床パネル１，２の床根太３の両端は、端根太４の側部に突き付けられ、かつ床根太３のウェブ３ａの先端がウェブ４ａの側部に接合金物６を介し、複数の接合ボルト７によって接合されている。
【００６２】
また、各床パネル１どうしの接合部Ｅにおいては、後から敷設される床パネル１の面材５の一端５ａは先に敷設された床パネル１の床根太３の上の中心線上で先に敷設された床パネル１の面材５の一端５ａと面一に突き合わせられ、かつ当該床根太３の上にドリルねじ接合によって取り付けられている。
【００６３】
各床パネル２どうしの接合部Ｆおいても同様に、後から敷設される床パネル２の面材５の一端５ａは、先に敷設された床パネル２の面材５の一端５ａと面一に突き合わせられ、かつ床根太３の上にドリルねじ接合によって取り付けられている。
【００６４】
以上のような構成において、床パネル１および床パネル２の床根太３の下フランジ３ｃは、接合金物６が取り付けられる先端部において接合金物６の連結部６ｂと干渉しない程度に上フランジ３ｂより短くなっていることにより、端根太４を先に敷設し、端根太４のウェブ４ａの側部に接合金物６を先付けしておき、その後から端根太４，４間に床パネル１，２をそれぞれ真上から降ろして敷設しても、床根太３の先端部が接合金物６と干渉しないので、床パネル１，２をきわめて効率的にかつ容易に敷設することができる。また、こうして床パネルを敷設することが可能なことにより、床面材を利用して床の水平剛性を容易に確保することができる。
【００６５】
図３，４の態様と図５，６の態様を比較すると、図３，４の態様では、床パネル１，２の設置により端根太４も施工されることになるので、工程が簡略化されている。
【００６６】
一方、図５，６の態様では、公道を運搬可能な程度の長さであれば、端根太４を一本物のＨ形鋼などで構成することができる上、図７のように床パネルを積み重ねられるので、運搬効率が優れる。
【産業上の利用可能性】
【００６７】
本発明は、床パネルの敷設を効率的に行うことができ、かつ床パネルによって床の水平剛性を容易に確保することができる。
【符号の説明】
【００６８】
１  床パネル
２  床パネル
３  床根太
３ａ  ウェブ
３ｂ  上フランジ
３ｃ  下フランジ
４  端根太
４ａ  ウェブ
５  面材
５ａ  面材の一端
６  接合金物
６ａ  固定部
６ｂ  連結部
７  接合ボルト
【図１】
0005447116.tif 000002
【図２】
0005447116.tif 000003
【図３】
0005447116.tif 000004
【図４】
0005447116.tif 000005
【図５】
0005447116.tif 000006
【図６】
0005447116.tif 000007
【図７】
0005447116.tif 000008